(57)【要約】【課題】複数のスタンバイモードを効率よく切り替えることにより、システムを効率よく高速で起動することが可能な、新規かつ改良された電子機器を提供すること。【解決手段】システムの起動に要する時間が異なる複数のスタンバイ機能を有し、接続された外部機器の動作状態を定期的に判断し、前記外部機器の動作状態に応じて、前記複数のスタンバイ機能の中から１のスタンバイ機能を選択する制御部を備える電子機器を提供することができる。【選択図】図３
2009301633.tif 000002
【特許請求の範囲】
【請求項１】
システムの起動に要する時間が異なる複数のスタンバイ機能を有し、
接続された外部機器の動作状態を定期的に判断し、前記外部機器の動作状態に応じて、前記複数のスタンバイ機能の中から１のスタンバイ機能を選択する制御部を備える電子機器。
【請求項２】
前記複数のスタンバイ機能は、少なくとも第１のスタンバイ機能と第２のスタンバイ機能からなり、
前記第１のスタンバイ機能は、前記第２のスタンバイ機能と比較して消費電力が小さく、前記システムの起動に要する時間が長い、請求項１に記載の電子機器。
【請求項３】
前記制御部は、前記外部機器が動作中である場合には、前記第２のスタンバイ機能を選択し、前記外部機器が待機中である場合には、前記第１のスタンバイ機能を選択する、請求項２に記載の電子機器。
【請求項４】
前記外部機器は、ＨＤＭＩ端子を介してＨＤＭＩ接続され、
前記制御部は、前記外部機器からのＣＥＣ情報に基づいて、前記外部機器が動作中であるか否かを判断する、請求項３に記載の電子機器。
【請求項５】
前記制御部は、常時通電された状態のサブマイコンと、前記システムを起動するメインマイコンとを備え、
前記サブマイコンは、前記第１のスタンバイ機能を選択した場合には、前記メインマイコンの通電を切断し、前記第２のスタンバイ機能を選択した場合には、前記メインマイコンを通電する、請求項４に記載の電子機器。
【請求項６】
前記サブマイコンは、前記第１のスタンバイ機能を選択している場合において、ユーザから前記システムの起動要求があった場合には、前記メインマイコンを通電し、前記メインマイコンに前記システムの起動を指示し、
前記メインマイコンは、前記システムの起動指示に応じて、前記システムを起動する、請求項５に記載の電子機器。
【請求項７】
前記サブマイコンは、前記第２のスタンバイ機能を選択している場合において、ユーザから前記システムの起動要求があった場合には、通電されている状態の前記メインマイコンに前記システムの起動を指示し、
前記メインマイコンは、前記システムの起動指示に応じて、前記システムを起動する、請求項６に記載の電子機器。
【請求項８】
接続された外部機器の動作状態を定期的に判断する外部機器判断ステップと、
前記外部機器判断ステップによって判断される前記外部機器の動作状態に応じて、システムの起動に要する時間が異なる複数のスタンバイ機能から１のスタンバイ機能を選択するスタンバイ機能選択ステップと、
を含む電子機器におけるスタンバイ機能の選択方法。
【発明の詳細な説明】
【技術分野】
【０００１】
本発明は、電子機器および電子機器におけるスタンバイ機能の選択方法に関する。
【背景技術】
【０００２】
テレビと接続されて使用される、例えば、ＤＶＤレコーダ、ＨＤＤレコーダなどの録画再生装置は通常、システムを高速で起動することが要求される。システムの起動時間が長いと、録画の開始が遅れ、録画の機会を失ってしまう場合がある。また、システムの起動時間が長いと、録画再生装置が故障しているとユーザが勘違いしてしまうことがある。
【０００３】
一方で、録画再生装置には、高速起動の要求のみならず、省電力設計が要求される。したがって、録画再生装置は通常、システムが起動していないときには、必要最小限の電力のみを供給する、いわゆるスタンバイモードを備えることにより消費電力の軽減を図ることが多い。
【０００４】
しかしながら、録画再生装置の技術開発が進むにつれ、録画再生装置には複雑な機能が多く搭載され、システムの高速起動には多くの電力消費が要求される場合が多い。すなわち、必要最小限の電力のみを供給するスタンバイモードから、システムを高速で起動することが難しくなる。逆に、システムを高速起動するためには、スタンバイモードにおいても多くの電力を供給しておく必要があるが、消費電力の観点から望ましくない。すなわち、消費電力とシステムの高速起動が相反する関係となっており、いずれの要求も満たすことができないという問題がある。
【０００５】
このような問題を解決するために、例えば特許文献１、２に開示された技術が知られている。特許文献１には、スタンバイモードにおいてはサブマイコンのみを通電し、システムの起動要求があった場合には、メインマイコンを起動する間、サブマイコンがシステムの起動を補助することによりシステムの起動時間を短縮する技術が開示されている。一方、特許文献２には、低消費モードと高速起動モードの２つのスタンバイモードを備え、システム電源をＯＦＦにしてから一定時間は高速起動モードとし、電源をＯＦＦにしてから一定時間経過すると低消費モードに移行する技術が開示されている。
【０００６】
【特許文献１】特開２００６−２７７９４１号公報
【特許文献２】特開２００７−２１４９８３号公報
【発明の開示】
【発明が解決しようとする課題】
【０００７】
しかし、特許文献１に記載の発明は、システムを高速で起動するためには、サブマイコンの消費電力を大きくする必要があり、結局スタンバイモードにおける消費電力を大きくしなければならないという問題がある。また、特許文献２に記載の発明は、電源をオフしてから一定時間は高速起動モードによりシステムを高速で起動することができるが、一度低消費モードに移行した後は、システムを高速で起動することができない。また、低消費モードに移行するまでの時間を長く設定すると、高速起動モードの時間が長くなり、消費電力が大きくなってしまうという問題があった。
【０００８】
そこで、本発明は、上記問題に鑑みてなされたものであり、本発明の目的とするところは、複数のスタンバイモードを効率よく切り替えることにより、システムを効率よく高速で起動することが可能な、新規かつ改良された電子機器を提供することにある。
【課題を解決するための手段】
【０００９】
上記課題を解決するために、本発明のある観点によれば、システムの起動に要する時間が異なる複数のスタンバイ機能を有し、接続された外部機器の動作状態を定期的に判断し、前記外部機器の動作状態に応じて、前記複数のスタンバイ機能の中から１のスタンバイ機能を選択する制御部を備える電子機器が提供される。
【００１０】
かかる構成により、電子機器は、接続された外部機器の動作状態に応じて、複数のスタンバイ機能の中から１のスタンバイ機能を選択することができる。
【００１１】
前記複数のスタンバイ機能は、少なくとも第１のスタンバイ機能と第２のスタンバイ機能からなり、前記第１のスタンバイ機能は、前記第２のスタンバイ機能と比較して消費電力が小さく、前記システムの起動に要する時間が長いものでもよい。
【００１２】
前記制御部は、前記外部機器が動作中である場合には、前記第２のスタンバイ機能を選択し、前記外部機器が待機中である場合には、前記第１のスタンバイ機能を選択することもできる。
【００１３】
前記外部機器は、ＨＤＭＩ端子を介してＨＤＭＩ接続され、前記制御部は、前記外部機器からのＣＥＣ情報に基づいて、前記外部機器が動作中であるか否かを判断することもできる。
【００１４】
前記制御部は、常時通電された状態のサブマイコンと、システムを起動するメインマイコンとを備え、前記サブマイコンは、前記第１のスタンバイ機能を選択した場合には、前記メインマイコンの通電を切断し、前記第２のスタンバイ機能を選択した場合には、前記メインマイコンを通電することもできる。
【００１５】
前記サブマイコンは、前記第１のスタンバイ機能を選択している場合において、ユーザから前記電子機器のシステムの起動要求があった場合には、前記メインマイコンを通電し、前記メインマイコンに前記システムの起動を指示し、前記メインマイコンは、前記システムの起動指示に応じて、前記システムを起動することもできる。
【００１６】
前記サブマイコンは、前記第２のスタンバイ機能を選択している場合において、ユーザから前記電子機器のシステムの起動要求があった場合には、通電されている状態の前記メインマイコンに前記システムの起動を指示し、前記メインマイコンは、前記システムの起動指示に応じて、前記システムを起動することもできる。
【発明の効果】
【００１７】
以上説明したように本発明によれば、複数のスタンバイモードを効率よく切り替えることにより、システムを効率よく高速で起動することが可能な、新規かつ改良された電子機器を提供することができる。
【発明を実施するための最良の形態】
【００１８】
以下に添付図面を参照しながら、本発明の好適な実施の形態について詳細に説明する。なお、本明細書及び図面において、実質的に同一の機能構成を有する構成要素については、同一の符号を付することにより重複説明を省略する。なお、以下の実施形態に置いては、本発明に係る電子機器の実施形態の１つとして、例えば、ＤＶＤレコーダ、ＨＤＤレコーダなどの録画再生装置１００について説明する。なお、説明は以下の順序で行うものとする。
１．録画再生装置１００とテレビ１０とのＨＤＭＩ接続（ＨＤＭＩとＣＥＣ）
２．録画再生装置１００の機能構成
３．制御部１１０（サブマイコン１１８とメインマイコン１２０）
４．スタンバイモード（低消費モードと高速起動モード）
５．スタンバイモードの切替処理シーケンス
５−１．ＡＣ電源等入力後の処理シーケンス
５−２．高速起動モードから低消費モードへの切替処理シーケン
５−３．低消費モードから高速起動モードへの切替処理シーケンス
５−４．低消費モードからのシステム起動シーケンス
５−５．高速起動モードからのシステムの起動シーケンス
６．スタンバイモードの切替フロー
【００１９】
（１．録画再生装置１００とテレビ１０とのＨＤＭＩ接続）
まず、テレビなどの表示機器と接続される、録画再生装置１００のシステム構成について説明する。図１は、本実施形態に係る録画再生装置１００とテレビ１０との接続を示す概念図である。
【００２０】
図１に示すように、本実施形態に係る録画再生装置１００は、テレビ１０と接続されている。録画再生装置１００およびテレビ１０は、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）接続のためのＨＤＭＩ端子それぞれ備えることによりＨＤＭＩ接続されている。
【００２１】
ここでＨＤＭＩ接続とは、複数の電子機器を１本のケーブルで接続することにより、映像信号および音声信号をデジタル信号で伝送するものである。さらにＨＤＭＩ接続は、デジタル映像・音声信号に加えて、電子機器間の制御信号を伝送することができる。例えば、レコーダとテレビをＨＤＭＩ接続することにより、ハイビジョン放送をはじめとする高品位なデジタル映像・音声信号と同時に、解像度とアスペクト、著作権の相互認証や電源のＯＮ／ＯＦＦといった電子機器間の制御信号の情報も伝送することができる。
【００２２】
また、ＨＤＭＩに用いられるプロトコルとしてはＣＥＣ（Ｃｏｎｓｕｍｅｒ  Ｅｌｅｃｔｒｏｎｉｃｓ  Ｃｏｎｔｒｏｌ）が規格化されている。すなわち、ＨＤＭＩ接続は、ＣＥＣプロトコルを利用して、ＨＤＭＩケーブルで接続された電子機器間の連携を実現するものである。ＣＥＣには電子機器に対して様々な機能を指示するコード（コマンド）が規格されている。すなわち、ＨＤＭＩ接続された電子機器は、ＣＥＣを利用することにより、それぞれの機器が備える機能を連携して実行することができる。例えばソース（ＨＤＭＩ出力）側機器からシンク（ＨＤＭＩ入力側）側機器へ、電源の投入指示である「Ｉｍａｇｅ  Ｖｉｅｗ  Ｏｎ」のＣＥＣメッセージを伝送すると、他方の機器は電源を投入する。その他、相手側の電子機器がＨＤＭＩ接続されているか否かを確認するための「Ｐｏｌｌｉｎｇ  Ｍｅｓｓａｇｅ」、相手側の電子機器の電源状態を確認するための「Ｇｉｖｅ  Ｄｅｖｉｃｅ  Ｐｏｗｅｒ  Ｓｔａｔｕｓ」などの種々のコードがある。本実施形態に係る録画再生装置１００は、ＣＥＣを利用することにより、ＨＤＭＩ接続されたテレビの電源状態を認識し、複数のスタンバイモードを効率よく切り替えることにより、システムを効率よく高速で起動することを可能とする。
【００２３】
図１に示す例では、録画再生装置１００およびテレビ１０は、それぞれＨＤＭＩ端子１０２、１２を備え、ＨＤＭＩケーブル１０４によって接続されている。これにより、録画再生装置１００からテレビに向けて映像・音声信号が伝達される。さらに、録画再生装置１００とテレビ１０との間で、ＣＥＣの制御信号が双方向に伝達される。すなわち、本実施形態に係る録画再生装置１００は、ＣＥＣの制御信号に基づいて、テレビ１０の機能と連動した制御処理を実現することができる。
【００２４】
（２．録画再生装置１００の機能構成）
上記のように、ＨＤＭＩ端子１０２を介してテレビ１０と接続される、本実施形態に係る録画再生装置１００の機能構成について説明する。図２は、録画再生装置１００のハードウェア構成を示す説明図である。
【００２５】
図２に示すように、録画再生装置１００は主に、チューナー１０６と、アンテナ１３０と、ＨＤＭＩ端子１０２と、制御部１１０と、リモコン受光部１０６と、操作入力部１２６と、ＲＯＭ（Ｒｅａｄ  Ｏｎｌｙ  Ｍｅｍｏｒｙ）１１２と、ＲＡＭ（Ｒａｎｄａｏｍ  Ａｃｃｅｓｓ  Ｍｅｍｏｒｙ）１１４と、記憶部１２８と、を含んで構成される。これらは、バス１１６によって接続され、制御部１１０により統括的に制御される。なお、録画再生装置１００が備える各種機能は、通常の録画再生装置が備える機能であり、以下では本実施形態の特徴である制御部１１０によるスタンバイモードの切り替えを中心に説明する。また、図２に示す構成は、本実施形態の特徴的部分であるスタンバイモードの切り替えを実行することが可能な、録画再生装置１００の構成を示す一例であり、これに限定されるものではない。すなわち、図２に示した機能構成以外の例えば、電子番組表取得部、外部媒体記録部、表示部などの各種機能を備えることも当然に可能である。
【００２６】
（３．制御部１１０）
上述したように、本実施形態に係る録画再生装置１００は、制御部１１０が複数のスタンバイモードを効率よく切り替えることにより、システムの高速起動および消費電力の軽減を可能とする。したがって、録画再生装置１００の制御部１１０について以下説明する。
【００２７】
図３は、録画再生装置１００の制御部１１０の構成を示す説明図である。図３に示すように、制御部１１０は主に、サブマイコン１１８と、メインマイコン１２０と、を含んで構成される。サブマイコン１１８は、例えば、操作入力部１２６からのユーザによる入力、ＬＥＤ（図示せず）の表示、タイマ機能（図示せず）の管理など、録画再生装置１００のシステムが起動していない状態で、最低限必要な処理を行う。サブマイコン１１８は、ユーザが電源プラグ１２４をコンセントに挿入し、内部電源１２２に電源が供給されることにより通電される。したがって、ユーザが電源プラグ１２４をコンセントから抜かない限り、サブマイコン１１８は、常に通電された状態である。
【００２８】
一方、メインマイコン１２０は、録画再生装置１００が備える各種機能を、ユーザからの指示、タイマ機能などに基づいて実行するものである。また、メインマイコン１２０は、ユーザからシステムの起動要求があった場合には、録画再生装置１００が備える各種機能を初期設定し、システムを起動する。さらに、メインマイコン１２０は、システムがＯＦＦである場合にも、サブマイコン１１８からの指示に応じて通電を維持し、システムの高速起動に備えることができる。
【００２９】
（４．スタンバイモード）
本実施形態に係る録画再生装置１００は、システムがＯＦＦの場合に、低消費モードによるスタンバイ機能と、高速起動モードによるスタンバイ機能を備える。ここで、低消費モードによるスタンバイ機能とは、録画再生装置１００のシステムが起動していない状態において、サブマイコン１１８のみが通電されている状態をいう。一方、高速起動モードによるスタンバイ機能とは、録画再生装置１００のシステムが起動していない状態において、サブマイコン１１８およびメインマイコン１２０が通電されている状態をいう。すなわち、低消費モードによるスタンバイ機能は、サブマイコン１１８のみが通電されているため、高速起動モードによるスタンバイ機能と比較して消費電力が小さい。しかしながら、低消費モードによるスタンバイ機能では、ユーザからシステムの起動要求があった場合に、メインマイコン１２０が通電されていないため、高速起動モードによるスタンバイ機能と比較して、システムの起動時間が長くなる。すなわち、低消費モードは、消費電力は小さいが、システムの起動に要する時間が長いことを特長とし、高速起動モードは、消費電力は大きいが、システムを高速で起動できることを特徴とする。
【００３０】
なお、本実施形態に係る低消費モードによるスタンバイ機能は、本発明の第１のスタンバイ機能に相当し、本実施形態に係る高速起動モードによるスタンバイ機能は、本発明の第２のスタンバイ機能に相当するものである。
【００３１】
このように、本実施形態に係る録画再生装置１００は、低消費モードと高速起動モードによる２つのスタンバイ機能を有している。したがって、録画再生装置１００は、状況に即したスタンバイ機能を選択する必要がある。すなわち、ユーザからシステムの高速起動が要求される場合には、高速起動モードによるスタンバイ機能を選択することが望ましい。一方、ユーザからシステムの高速起動が要求されない場合には、省電力の観点からも低消費モードによるスタンバイ機能を選択することが望ましい。
【００３２】
一般に、テレビと接続されたレコーダ、アンプ、スピーカなどの各種電気機器は、通常テレビと連動して使用されることが想定される。例えば、テレビと接続された録画再生装置を仮定すると、ユーザは通常テレビの電源がＯＮになっているときに録画再生装置を使用する場合が多い。すなわち、ユーザはテレビの所定の番組の視聴中に、当該録画を録画するために、録画再生装置を起動して録画を開始する場合がある。また、ユーザは録画再生装置により所定の番組を録画予約する際には、通常テレビ画面に表示されたメニューなどにしたがって録画予約を設定する。すなわち、録画再生装置は、テレビの電源が起動状態であるときに使用される場合が多く、テレビの電源が入っていない場合には使用されない場合が多い。
【００３３】
そこで、本実施形態に係る録画再生装置１００は、ＨＤＭＩ接続されたテレビ１０の電源の起動状態に応じて、低消費モードと高速起動モードの２つのスタンバイ機能を適切に選択することを特徴とする。具体的には、サブマイコン１１８は、テレビ１０が起動されている場合には、ユーザにより起動要求がされる可能性が高いと判断して、高速起動モードによるスタンバイ状態を選択する。すなわち、サブマイコン１１８は、ＨＤＭＩ接続されたテレビ１０に対して、「Ｇｉｖｅ  Ｄｅｖｉｃｅ  Ｐｏｗｅｒ  Ｓｔａｔｕｓ」のＣＥＣメッセージを定期的に送信する。仮にテレビ１０の電源が起動状態である場合には、テレビ１０から「Ｒｅｐｏｒｔ  Ｐｏｗｅｒ  Ｓｔａｔｕｓ」のＣＥＣメッセージが返信される。一方、テレビ１０の電源が起動されていない場合には、テレビ１０からＣＥＣメッセージは返信されない。このように、サブマイコン１１８は、ＣＥＣを利用することにより、ＨＤＭＩ接続されたテレビ１０の電源の起動状態を定期的に確認することができる。これにより、サブマイコン１１８は、テレビ１０の電源が起動中である場合には、高速起動モードによるスタンバイ機能を選択することができる。一方、テレビ１０の電源が起動されていない場合には、サブマイコン１１８は、低消費モードによるスタンバイ機能を選択することができる。
【００３４】
このように、本実施形態に係る録画再生装置１００は、システムが起動していない状態において、低消費モードと高速起動モードの２つのスタンバイ機能を有している。図４は、録画再生装置１００のシステムの起動状態と、テレビ１０の起動状態と、サブマイコン１１８およびメインマイコン１２０の通電状態と、を示す関係図である。
【００３５】
図４に示すように、電源プラグ１２４がコンセントに挿入されていない状態、すなわち、録画再生装置１００の主電源がＯＦＦである場合には、テレビ１０の状態に関わらず、録画再生装置１００のシステム、サブマイコン１１８、メインマイコン１２０はＯＦＦである。また、録画再生装置１００のシステムが起動している状態では、テレビ１０の状態に関わらず、サブマイコン１１８およびメインマイコン１２０は通電状態（ＯＮ）である。
【００３６】
次に、録画再生装置１００のシステムが起動していない状態、すなわち、スタンバイ状態である場合には、前述のように、低消費モードと高速起動モードの２つに分類される。図４に示すように、低消費モードは、テレビ１０の電源が起動していない（ＯＦＦ）状態であり、サブマイコン１１８のみが通電された（ＯＮ）状態で、メインマイコン１２０は通電されていない（ＯＦＦ）状態である。一方、高速起動モードは、テレビ１０の電源が起動している（ＯＮ）状態であり、サブマイコン１１８およびメインマイコン１２０の両方が通電された（ＯＮ）状態である。
【００３７】
（５．スタンバイモードの切替処理シーケンス）
次に、上記のように、低消費モードおよび高速起動モードの２つのスタンバイ機能を備える録画再生装置１００において、サブマイコン１１８による２つのスタンバイ機能の切替処理の流れについて、図５〜９を参照にして説明する。
【００３８】
（５−１．ＡＣ電源等入力後の処理シーケンス）
まず、録画再生装置１００の主電源が投入された場合の処理シーケンスについて説明する。図５は、電源プラグ１２４が、コンセントに挿入された直後の、サブマイコン１１８とメインマイコン１２０との処理の流れを示すシーケンス図である。
【００３９】
図５に示すように、ステップ４０２において、電源プラグ１２４がコンセントに挿入されると、ステップ４０４において、サブマイコン１１８が通電される。その後、サブマイコン１１８は、例えば、ユーザからの指示の受信、予約録画などのタイマ機能、ＬＥＤの表示など、録画記録再生装置１００のシステムが起動していない状態において最低限必要な機能を実行できる起動状態となる。サブマイコン１１８は、その後すぐに、ステップ４０６において、メインマイコン１２０に対してシステムの起動指示を伝達する。
【００４０】
サブマイコン１１８からの起動指示により、ステップ４０８において、メインマイコン１２０は通電され、システムの起動処理を開始し、システムを起動状態とする。メインマイコン１２０によりシステムが起動された後は、サブマイコン１１８とメインマイコン１２０が相互通信することにより、録画再生装置１００が備える、録画、再生、予約、編集などの各種機能を実現することができる。
【００４１】
（５−２．高速起動モードから低消費モードへの切替処理シーケンス）
次に、録画再生装置１００が、高速起動モードのスタンバイ状態である場合に、サブマイコン１１８が、ＣＥＣメッセージに基づいて低消費モードのスタンバイ状態に切替えを行う場合の処理シーケンスについて説明する。図６は、高速起動モードから低消費モードへの切替処理が行われる際の、サブマイコン１１８とメインマイコン１２０との処理の流れを示すシーケンス図である。
【００４２】
録画再生装置１００は図４に示したように、システムが起動していない状態で、テレビ１０の電源がＯＮの場合、すなわち、テレビ１０からＣＥＣメッセージの応答がある場合には、高速起動モードによるスタンバイ状態となる。したがって、高速起動モードによるスタンバイ状態では、サブマイコン１１８は、ユーザからのシステムの起動要求を待機し、メインマイコン１２０は、高速起動を実現するために、通電された状態（以下休止状態という）である。
【００４３】
ここで、ユーザがステップ６０２において、テレビの電源をＯＦＦにした場合、サブマイコン１１８は、テレビ１０からＣＥＣメッセージの応答を受信することができなくなる（ステップ６０４）。この場合、サブマイコン１１８は、ＨＤＭＩ接続されているテレビ１０の電源がＯＦＦされたと判断し、高速起動モードから低消費モードへの切替を実行する。具体的には、ステップ６０６において、サブマイコン１１８は、メインマイコン１２０に対して、低消費モードへの切替を指示する。サブマイコン１１８から低消費モードへの切替指示を受けたメインマイコン１２０は、ステップ６０８において、メインマイコン１２０の通電を切断するための準備を開始する。その後、メインマイコン１２０は、ステップ６１０において、サブマイコン１１８に対して、切断準備が終了したことを通知する。メインマイコン１２０から切断準備の終了通知を受けたサブマイコン１１８は、ステップ６１２においてメインマイコン１２０に対して切断を通知する。これによりメインマイコン１２０の通電はステップ６１６において切断される。このように、サブマイコン１１８は、テレビ１０の電源がＯＦＦされた後すぐに、メインマイコン１２０の通電を切断せず、一度メインマイコン１２０に対して低消費モードへの切替を指示する。これにより、メインマイコン１２０は、突然切断されることがないため、切断に先立って、例えば現在の設定情報などを記憶領域などに格納しておくことができる。以上の結果、図６に示すように、テレビ１０の電源がＯＦＦされると、録画再生装置１００は、サブマイコン１１８のみが通電状態で、ユーザからの起動要求を待つ（ステップ６１４）、低消費モードによるスタンバイ状態となる。すなわち、録画再生装置１００は、テレビ１０の電源の起動状態に応じて、高速起動モードによるスタンバイモードから低消費モードによるスタンバイモードに切り替えることができる。
【００４４】
（５−３．低消費モードから高速起動モードへの切替処理シーケンス）
次に、録画再生装置１００が、低消費モードのスタンバイ状態である場合に、サブマイコン１１８が、ＣＥＣメッセージに基づいて高速起動モードのスタンバイ状態に切替えを行う場合の処理シーケンスについて説明する。図７は、低消費モードから高速起動モードへの切替処理が行われる際の、サブマイコン１１８とメインマイコン１２０との処理の流れを示すシーケンス図である。
【００４５】
録画再生装置１００は、図４に示したように、システムが起動していない状態で、テレビ１０の電源がＯＦＦの場合、すなわち、テレビ１０からＣＥＣメッセージの応答がない場合には、低消費モードによるスタンバイ状態となる。したがって、低消費モードによるスタンバイ状態では、サブマイコン１１８のみが通電されて、ユーザからのシステムの起動要求を待機し、メインマイコン１２０は、通電されていない状態（以下切断状態という）である。
【００４６】
ここで、ユーザがステップ７０２において、テレビの電源をＯＮにした場合、サブマイコン１１８は、テレビ１０からＣＥＣメッセージの応答を受信することができる（ステップ７０４）。この場合、サブマイコン１１８は、ＨＤＭＩ接続されているテレビ１０の電源がＯＮされたと判断し、低消費モードから高速起動モードへの切替を実行する。具体的には、ステップ７０６において、サブマイコン１１８は、メインマイコン１２０に対して、高速起動モードへの切替を指示する。サブマイコン１１８から高速起動モードへの切替指示を受けたメインマイコン１２０は、ステップ７０８において通電され、高速起動を実現するための準備を開始する。例えば、メインマイコン１２０は、ユーザからのシステムの起動要求に備えて、高速起動時に必要となるシステムの初期設定情報などをあらかじめ読み出しておくことができる。その後、メインマイコン１２０は、ステップ７１０において、サブマイコン１１８に対して、高速起動の準備が終了したことを通知する。以上の結果、図７に示すように、テレビ１０の電源がＯＮされると、録画再生装置１００は、サブマイコン１１８が通電状態でユーザからの起動要求を待ち（ステップ７１２）、メインマイコン１２０も休止状態（ステップ７１４）で高速起動に備えることができる。すなわち、録画再生装置１００は、テレビ１０の電源の起動状態に応じて、低消費モードによるスタンバイモードから高速起動モードによるスタンバイモードに切り替えることができる。
【００４７】
（５−４．低消費モードからのシステム起動シーケンス）
次に、録画再生装置１００が、低消費モードのスタンバイ状態である場合に、ユーザからの起動要求に基づいて、システム電源をＯＮにする処理シーケンスについて説明する。図８は、低消費モードのスタンバイ状態において、ユーザからの起動要求に基づいて、システムの電源をＯＮにする際の、サブマイコン１１８とメインマイコン１２０との処理の流れを示すシーケンス図である。
【００４８】
上述したように、録画再生装置１００は、低消費モードによるスタンバイ状態では、サブマイコン１１８のみが通電されて、ユーザからのシステムの起動要求を待機し、メインマイコン１２０は、切断状態である。
【００４９】
まず、ステップ８０２において、ユーザからシステムの起動要求があった場合、サブマイコン１１８は、ステップ８０４において、メインマイコン１２０に対してシステムの起動指示を通知する。ここで、ユーザからのシステムの起動要求とは、ユーザが、リモコンまたは操作入力部１２６を介して録画再生装置１００の備える各種機能の実行を要求することである。起動要求としては、ユーザが、例えば、リモコンの電源ボタン、トレイのオープンボタン、ディスクの再生ボタン、録画予約ボタンなどを押すことなどが想定される。サブマイコン１１８からシステムの起動指示を受信することにより、ステップ８０６において、メインマイコン１２０は通電され、システムの起動処理を開始する。その後メインマイコン１２０がシステムを起動すると、録画再生装置１００は、サブマイコン１１８およびメインマイコン１２０が相互通信することにより、録画再生装置１００が備える、録画、再生、予約、編集などの各種機能を実行することができる。
【００５０】
このように、低消費モードのスタンバイ状態から、システムを起動する場合には、メインマイコン１２０を一度通電して初期設定などをした後に、システムの起動処理を開始する。したがって、ユーザからの起動要求に対して、システムを高速で起動することができない。しかしながら、本実施形態に係る録画再生装置１００は、上述したように、ユーザが起動要求をする可能性が高い状態、すなわちテレビ１０の電源が起動状態である場合には、高速起動モードによるスタンバイ状態である。そこで、高速起動モードによるスタンバイ状態から、システムを起動する場合について以下説明する。
【００５１】
（５−５．高速起動モードからのシステムの起動シーケンス）
図９は、高速起動モードによるスタンバイ状態において、ユーザからの起動要求に基づいて、システムの電源をＯＮにする際の、サブマイコン１１８とメインマイコン１２０との処理の流れを示すシーケンス図である。
【００５２】
上述したように、録画再生装置１００は、高速起動モードによるスタンバイ状態では、サブマイコン１１８が通電されて、ユーザからのシステムの起動要求を待機するのに加えて、メインマイコン１２０も通電されて起動準備を終了している休止状態である。
【００５３】
まず、ステップ９０２において、ユーザからシステムの起動要求があった場合、サブマイコン１１８は、ステップ９０４において、メインマイコン１２０に対してシステムの起動指示を通知する。サブマイコン１１８からシステムの起動指示を受信したとき、メインマイコン１２０は、既に通電されて起動開始の準備が完了しているため、ステップ９０６において、すぐにシステムの起動処理を開始してシステムを起動することができる。システムの起動が完了すると、録画再生装置１００は、サブマイコン１１８およびメインマイコン１２０が相互通信することにより、録画再生装置１００が備える、録画、再生、予約、編集などの各種機能を実行することができる。
【００５４】
このように、高速起動モードのスタンバイ状態から、システムを起動する場合には、ユーザからシステムの起動要求があった時点で、メインマイコン１２０がすでに通電されてシステムの起動開始準備を完了している。したがって、ユーザから起動要求があった場合に、低消費モードによるスタンバイ状態からシステムを起動する場合と比較して、システムを高速で起動することができる。上記のように、録画再生装置１００は、テレビ１０の電源が起動している場合、すなわち、ユーザが録画再生装置１００のシステムの起動を要求する可能性が高い場合に、高速起動モードによるスタンバイ機能を選択する。したがって、本実施形態に係る録画再生装置１００は、ユーザからシステムの起動が要求される可能性が高い状況においては、高速起動モードによるスタンバイ機能を選択することにより、システムを高速で起動することが可能である。
【００５５】
（６．スタンバイモードの切替フロー）
次に、本実施形態に係る録画再生装置１００の、低消費モードと高速起動モードの２つのスタンバイ機能の切り替え処理の流れについて説明する。図１０は、録画再生装置１００の備える２つのスタンバイ機能の切り替えの流れを示すフロー図である。
【００５６】
図１０に示すように、録画再生装置１００は、電源プラグ１２４がコンセントに投入されると、ステップ１５０において、図４に示した流れで、システムを起動する。すなわち、サブマイコン１１８が通電され、サブマイコン１１８からの通電指示に応じてメインマイコン１２０が通電される。その後メインマイコン１２０による起動処理によってシステムが起動される。
【００５７】
その後、ステップ１５２において、例えば、ユーザによるシステムのＯＦＦ要求、または録画再生装置１００が自動でシステムの電源をＯＦＦにすると、ステップ１５４において、録画再生装置１００は、まず高速起動モードによるスタンバイ状態となる。すなわち、サブマイコン１１８が通電された状態でユーザからの起動要求を待機し、メインマイコン１２０も高速起動に備えて通電された状態に維持される。
【００５８】
その後、ステップ１５６において、録画再生装置１００は、テレビ１０の起動状態をＣＥＣメッセージに基づいて判断する。上述したように、録画再生装置１００は、「Ｇｉｖｅ  Ｄｅｖｉｃｅ  Ｐｏｗｅｒ  Ｓｔａｔｕｓ」のＣＥＣメッセージをテレビ１０に送信することによって、テレビ１０の電源状態を判断することができる。すなわち、録画再生装置１００は、テレビ１０からＣＥＣメッセージの応答があればテレビ１０の電源がＯＮであると判断し、応答がなければテレビ１０の電源がＯＦＦであると判断する。
【００５９】
録画再生装置１００は、テレビ１０の電源がＯＦＦであると判断した場合、ステップ１５８において、図６に示した処理に従って高速起動モードによるスタンバイ状態から低消費モードによるスタンバイ状態へ切り替える。すなわち、図６に示したように、サブマイコン１１８がメインマイコン１２０に対して、低消費モードへの切り替え指示を通知する。サブマイコン１１８から切り替え指示を受信したメインマイコン１２０は、切断準備をした後、サブマイコン１１８に切断準備の終了を通知する。その後、切断準備の終了通知を受信したサブマイコン１１８がメインマイコン１２０に切断を通知することにより、メインマイコン１２０の通電が切断され、サブマイコン１１８のみが通電された低消費モードによるスタンバイ状態へと切り替わる。
【００６０】
その後、録画再生装置１００は、ステップ１６０において、ユーザからシステムの起動要求があったか否かを判断する。ユーザからシステムの起動要求があった場合、録画再生装置１００は、ステップ１６２において、図８に示した処理に従ってシステムを起動する。このとき録画再生装置１００は、上述したようにサブマイコン１１８のみが通電された低消費モードのスタンバイ状態である。すなわち、録画再生装置１００はまず、図８に示したように、サブマイコン１１８がメインマイコン１２０に対してシステムの起動を指示する。その後、起動指示によりメインマイコン１２０が通電された後、起動処理を開始し、システムが起動されることとなる。一方、ステップ１６０において、ユーザからシステムの起動要求がなかった場合は、再度ステップ１５６において、テレビ１０の起動状態をＣＥＣメッセージに基づいて判断する。
【００６１】
また録画再生装置１００は、ステップ１５６において、テレビ１０の電源がＯＮであると判断した場合、高速起動モードによるスタンバイ状態を維持し、ステップ１６６において、ユーザからシステムの起動要求があったか否かを判断する。ユーザからシステムの起動要求があった場合、録画再生装置１００は、ステップ１６８において、図９に示した処理に従ってシステムを高速起動する。このとき録画再生装置１００は、上述したようにサブマイコン１１８およびメインマイコン１２０が通電された高速起動モードのスタンバイ状態である。すなわち、録画再生装置１００はまず、図９に示したようにサブマイコン１１８がメインマイコン１２０に対してシステムの起動を指示する。このときメインマイコン１２０は既に通電されているため、すぐに起動処理を開始し、システムを起動することができる。一方、ステップ１６６において、ユーザからのシステムの起動要求がなかった場合は、再度ステップ１５６において、テレビ１０の起動状態をＣＥＣメッセージに基づいて判断する。
【００６２】
このように、録画再生装置１００は、システムがＯＦＦされているスタンバイ状態においては、ステップ１５６において、テレビ１０の起動状態をＣＥＣメッセージに基づいて周期的に判断する。これにより、録画再生装置１００は、テレビ１０の起動状態に基づいて、低消費モードによるスタンバイ状態と高速起動モードによるスタンバイ状態を切り替える。すなわち、テレビ１０の電源がＯＮである場合には、高速起動モードによるスタンバイ状態を選択し、テレビ１０の電源がＯＦＦである場合には、低消費モードによるスタンバイ状態を選択する。例えば、高速起動モードによるスタンバイ状態である場合に、テレビ１０の電源がＯＦＦされると、ステップ１５８において、図６に示した処理に従って低消費モードによるスタンバイ状態へと切り替わる。また、低消費モードによるスタンバイ状態である場合に、テレビ１０の電源がＯＮされると、ステップ１６４において、図７に示した処理に従って高速起動モードによるスタンバイ状態へと切り替わる。
【００６３】
次にステップ１６２またはステップ１６８によって、システムが起動された後に、録画再生装置１００は、ステップ１７０において、ユーザからシステムのＯＦＦ要求があったか否かを判断する。システムのＯＦＦ要求がなかった場合には、録画再生装置１００は、システムを起動した状態で、通常の、録画、再生、予約、編集などの種々の機能を実行することができる。一方、ユーザからシステムのＯＦＦ要求があった場合には、ステップ１５２に戻って、システムをＯＦＦにする。その後、一度ステップ１５４の高速起動モードによるスタンバイ状態となり、再びテレビ１０の起動状態に基づいて、低消費モードと高速起動モードのスタンバイ状態を適宜切り替える。
【００６４】
以上のように、本実施形態に係る録画再生装置１００は、消費電力が小さいが起動に必要な時間が長い低消費モードによるスタンバイ機能と、消費電力が大きいが起動に必要な時間が短い高速起動モードによるスタンバイ機能とを有する。また、本実施形態に係る録画再生装置１００は、ＨＤＭＩ接続されたテレビ１０からのＣＥＣメッセージに基づいて、テレビ１０の電源の起動状態を判断することができる。さらに、録画再生装置１００は、テレビ１０の電源が起動されている場合には、ユーザからシステムの起動要求がある可能性が高いと判断し、高速起動モードによるスタンバイ機能を選択することができる。同様に、録画再生装置１００は、テレビ１０の電源が起動されていない場合には、ユーザからシステムの起動要求がある可能性が低いと判断し、低消費モードによるスタンバイ機能を選択することができる。この結果、ユーザがシステムの起動要求をする可能性が高い状況においては、録画再生装置１００は、ユーザからのシステムの起動要求に対してシステムを高速で起動することができる。さらに、ユーザがシステムの起動要求をする可能性が低い状況においては、録画再生装置１００は、低消費モードによるスタンバイ機能を選択することにより、省電力を実現することができる。すなわち、本実施形態に係る録画再生装置１００は、複数のスタンバイ機能を効率よく切り替えることにより、システムを効率よく高速で起動することを可能とする。
【００６５】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００６６】
例えば、上記実施形態では、録画再生装置１００と接続される機器としてテレビ１０を例に説明したがこれに限定されるものではない。例えば、録画再生装置１００とテレビ１０とがアンプを介してＨＤＭＩ接続される場合などには、録画再生装置１００は、アンプの電源の起動状態に基づいて複数のスタンバイ機能を切り替えることもできる。
【００６７】
また、上記実施形態では、ＨＤＭＩ接続によるＣＥＣメッセージに基づいて、接続された外部機器の電源の起動状態を判断する例について説明したがこれに限定されるものではない。例えば、接続された外部機器の電源の起動状態を認識することができる接続手段であれば、イーサネット（登録商標）ネットワークなどの各種接続手段を用いることも可能である。
【００６８】
また、録画再生装置１００は、上記実施形態を説明する上での一例であり、これに限定されるものではない。すなわち、録画再生装置１００は、外部機器の電源の起動状態に応じて複数のスタンバイ機能を選択可能なものであれば、例えば、録画、記録、再生、予約、編集、出力、入力、複製などの各種機能を任意で備えることも当然に可能である。また、録画再生装置１００は、本発明に係る電子機器の一例として説明したが、これに限定されるものではなく、複数のスタンバイ機能を有する種々の電子機器にも適用することができる。
【図面の簡単な説明】
【００６９】
【図１】本発明の第１の実施形態に係る録画再生装置１００とテレビ１０とのＨＤＭＩ接続の例を示す断面図である。
【図２】同実施形態に係る録画再生装置１００のハードウェア構成の一例を示す説明図である。
【図３】同実施形態に係る録画再生装置１００の制御部１１０の機能構成を示す説明図である。
【図４】同実施形態に係る録画再生装置１００のシステム状態とサブマイコン１１８とメインマイコン１２０との関係を示す説明図である。
【図５】同実施形態に係る録画再生装置１００において、ＡＣ電源投入時のサブマイコン１１８とメインマイコン１２０との処理を示す説明図である。
【図６】同実施形態に係る録画再生装置１００において、高速起動モードから低消費モードに切り替える際の、サブマイコン１１８とメインマイコン１２０との処理を示す説明図である。
【図７】同実施形態に係る録画再生装置１００において、低消費モードから高速起動モードに切り替える際の、サブマイコン１１８とメインマイコン１２０との処理を示す説明図である。
【図８】同実施形態に係る録画再生装置１００において、低消費モードによるスタンバイ状態からシステムを起動する際の、サブマイコン１１８とメインマイコン１２０との処理を示す説明図である。
【図９】同実施形態に係る録画再生装置１００において、高速起動モードによるスタンバイ状態からシステムを起動する際の、サブマイコン１１８とメインマイコン１２０との処理を示す説明図である。
【図１０】同実施形態に係る録画再生装置１００において、低消費モードによるスタンバイ状態と高速起動モードによるスタンバイ状態との切り替え処理の流れを示す説明図である。
【符号の説明】
【００７０】
１００    録画再生装置
１０２    ＨＤＭＩ端子
１０４    ＨＤＭＩケーブル
１１０    制御部
１１８    サブマイコン
１２０    メインマイコン
【図１】
2009301633.tif 000003
【図２】
2009301633.tif 000004
【図３】
2009301633.tif 000005
【図４】
2009301633.tif 000006
【図５】
2009301633.tif 000007
【図６】
2009301633.tif 000008
【図７】
2009301633.tif 000009
【図８】
2009301633.tif 000010
【図９】
2009301633.tif 000011
【図１０】
2009301633.tif 000012